(57)【特許請求の範囲】
【請求項１】
ディスク媒体を回転させる回転モータと前記ディスク媒体にアクセスする光学ユニットを移動させる移動機構とを載置すると共に下方に内蔵される電池の収納部を形成するシャーシを、軽比重金属材料で形成するシャーシ本体と当該シャーシ本体よりも比重が大きいながら高剛性で薄肉の高剛性薄板金属材料で形成した補助シャーシとを固着して一体化形成し、前記電池収納部の少なくとも一部を前記補助シャーシの薄肉部により形成したことを特徴とする携帯用ディスク装置。
【請求項２】
光学ユニットを所定方向に移動させる際に案内するガイドレールまたはガイドレール装着用直線部を補助シャーシに一体形成し、シャーシ本体におけるガイドレールまたはガイドレール装着用直線部に対応する部分は切欠いて重複しないように構成し、このガイドレール形成箇所近傍ではシャーシ本体と補助シャーシとを固着させていないことを特徴とする請求項１記載の携帯用ディスク装置。
【発明の詳細な説明】
【０００１】
【発明の属する技術分野】
本発明は携帯用ディスク装置に関するものである。
【０００２】
【従来の技術】
ディスク媒体を光ピックアップ装置で読み取って再生する携帯用ディスク装置としては、カートリッジに直径６４ｍｍのディスク媒体を内蔵したミニディスク（大きさは７２ｍｍ×６８ｍｍ×５ｍｍ）に記録された音楽を手軽にアウトドアに持ち出して聴けるように、軽量小型化された携帯用ＭＤプレーヤーが一般に普及している。
【０００３】
この携帯用ＭＤプレーヤーでは、機器本体に内蔵する電源電池として、略板状のガム型の充電池（大きさは６５ｍｍ×１７ｍｍ×６ｍｍ）が使用されている。この充電池は、図９〜図１１に示す配置でＭＤプレーヤーに内蔵されている。
【０００４】
ＭＤプレーヤーは、金属製のシャーシ本体１に、カートリッジ２内のディスク媒体２ａを回転させる回転モータ３や、ディスク媒体２ａにアクセスする光学ユニットとしての光ピックアップ装置４を移動させる移動機構５などが載置されて組付けられている。回転モータ３は、複数のビス６によりシャーシ本体１に固定されており、この回転モータ３の回転軸に取付けられたターンテーブル２４にカートリッジ２内のディスク媒体２ａが着座するように配置される。移動機構５は、送りモータ７と、この送りモータ７の回転軸に取付けられたモータギア８と、このモータギア８に中間ギア９を介して連動する駆動ギア１０と、駆動ギア１０と一体的に結合され、ねじ状溝が形成された駆動シャフト１１と、シャーシ本体１に取付けられて駆動シャフト１１を回動自在に支持する受け部１２とを備えており、送りモータ７を回転駆動させることで、この駆動力により駆動シャフト１１が回転される。
【０００５】
光ピックアップ装置４は、一方側の辺で前記駆動シャフト１１に螺合されているとともに、他方側の辺で、シャーシ本体１の一部に被せられた直線状のガイドレール１３に摺接され、このガイドレール１３によって光ピックアップ装置４の移動方向がガイドされる。また、光ピックアップ装置４は、シャーシ本体１に形成された角状孔１ａ内で移動する構成とされている。また、１４は電気部品が実装された配線基板で、この配線基板１４はシャーシ本体１や光ピックアップ装置４などの下方に配置され、シャーシ本体１に固着された複数の支柱１５にビス２３で固定されている。
【０００６】
ガム型の充電池１６は、ＭＤプレーヤーの一側部におけるシャーシ本体１の下方に内蔵される。シャーシ本体１には前面折り曲げ部１ｂが一体形成されており、この前面折り曲げ部１ｂと、シャーシ本体１における前方寄り部分と、シャーシ本体１に固着された電池案内壁部１７と、外装下ケース１８の前方寄り部分とにより、電池用収納部１９が形成され、この電池用収納部１９にガム型の充電池１６が収納される。また、シャーシ本体１には後面折り曲げ部１ｃも一体形成されており、この後面折り曲げ部１ｃや前記前面折り曲げ部１ｂにビス２０にて外装下ケース１８が固定されている。充電池１６は電池用収納部１９に収納された状態では、両端の電極が、ＭＤプレーヤーに設けられた端子に接続されて、電源として機能する。
【０００７】
２１は機器本体の蓋をなす外装上ケースで、この外装上ケース２１の下方にはカートリッジ２を保持するホルダー２２が配設されている。外装上ケース２１は、機器本体の後部両側面に構成された支軸を中心に前面側を、ホルダー２２と共に持ち上げるように回動自在とされ（図示せず）、この外装上ケース２１を開けた状態で、ホルダー２２に収納されたカートリッジ１が着脱自在とされている。また、ホルダー２２内にカートリッジ２を保持した状態で、外装上ケース２１を閉じることで、カートリッジ２が、シャーシ本体１に設けた複数の位置決めピン１ｄ上に着座し、カートリッジ２内のディスク媒体２ａが回転モータ３のターンテーブル２４に着座するように構成されている。
【０００８】
以上のように構成された従来の携帯用ディスク装置は、ディスク媒体２ａと光ピックアップ装置４の光軸との相対精度等を維持するために、シャーシ本体１が、板厚Ａが０．８ｍｍ以上のアルミ合金等の軽比重材料で形成されていたり、板厚が０．３ｍｍ以上の鉄板等の高剛性材料で形成されていたり（図示せず）する。そして、このシャーシ本体１に樹脂成形部品を固着することで、ガイドレール１３、受け部１２、支柱１５、電池案内壁部１７などが形成されている。
【０００９】
【発明が解決しようとする課題】
しかしながら、上記従来の携帯用ディスク装置によれば、シャーシ本体１をアルミ合金等の軽比重材料で形成すると、シャーシ本体１を軽量化できるので、その分だけ携帯用ディスク装置の軽量化が図られるものの、シャーシ本体１として高剛性材料を用いた場合に比べて大き目の板厚Ａが必要となるため、携帯用ディスク装置の薄形化が図り難くなる。これに代えて、シャーシ本体１を鉄板等の高剛性材料で形成すると、シャーシ本体１を薄くできるので、その分だけ、携帯用ディスク装置の薄形化を図ることができるものの、シャーシ本体１として軽比重材料を用いた場合に比べて重量が大きくなるため、携帯用ディスク装置の軽量化を図り難くなる。
【００１０】
本発明は上記課題を解決するもので、光ディスクなどのディスク媒体と光ピックアップ装置など光学ユニットの光軸との相対精度等を良好に維持しながら、薄型化と軽量化とを両立させることができる携帯用ディスク装置を提供することを目的としてなされたものである。
【００１１】
【課題を解決するための手段】
上記課題を解決するために本発明の携帯用ディスク装置は、ディスク媒体を回転させる回転モータと前記ディスク媒体にアクセスする光学ユニットを移動させる移動機構とを載置すると共に下方に内蔵される電池の収納部を形成するシャーシを、軽比重金属材料で形成するシャーシ本体と当該シャーシ本体よりも比重が大きいながら高剛性で薄肉の高剛性薄板金属材料で形成した補助シャーシとを固着して一体化形成し、前記電池収納部の少なくとも一部を前記補助シャーシの薄肉部により形成したことを特徴とする。
【００１２】
この構成により、光ディスクなどのディスク媒体と光ピックアップ装置などの光学ユニットの光軸との相対精度等を良好に維持しながら、携帯用ディスク装置の薄型化と軽量化とを両立させることができる。
【００１３】
【発明の実施の形態】
請求項１に記載の携帯用ディスク装置は、ディスク媒体を回転させる回転モータと前記ディスク媒体にアクセスする光学ユニットを移動させる移動機構とを載置すると共に下方に内蔵される電池の収納部を形成するシャーシを、軽比重金属材料で形成するシャーシ本体と当該シャーシ本体よりも比重が大きいながら高剛性で薄肉の高剛性薄板金属材料で形成した補助シャーシとを固着して一体化形成し、前記電池収納部の少なくとも一部を前記補助シャーシの薄肉部により形成したことを特徴とする。
【００１４】
携帯用ディスク装置において、電池は、内蔵されている部品としては最も厚みが大きい部品である場合が多い。この電池を収納する収納部の少なくとも一部をなす補助シャーシを高剛性で薄肉の高剛性薄板金属材料で形成したので、携帯用ディスク装置において最も厚くなり易い部分の厚みを少なくすることができ、しかも、他の箇所をなすシャーシ本体は軽比重金属材料で形成することで、携帯用ディスク装置の重量の増加を最小限に抑えることができる。
【００１５】
請求項２記載の発明は、請求項１記載の携帯用ディスク装置において、ガイドレールまたはガイドレール装着用直線部を所定方向に移動させる際に案内するガイドレールまたはガイドレール装着用直線部を補助シャーシに一体形成し、シャーシ本体におけるガイドレールまたはガイドレール装着用直線部に対応する部分は切欠いて重複しないように構成し、このガイドレール形成箇所近傍ではシャーシ本体と補助シャーシとを固着させていないことを特徴とする。
【００１６】
シャーシ本体と補助シャーシとを固着して一体化するに際して、光学ユニットを所定方向に移動させる際に案内するガイドレールまたはガイドレール装着用直線部を補助シャーシに一体形成するとともに、このガイドレールまたはガイドレール装着用直線部の近傍箇所でもシャーシ本体と固着させると、シャーシ本体と補助シャーシとの熱膨張率が異なるため、気温などが変化した場合に、ガイドレールまたはガイドレール装着用直線部が反ってしまい、これに伴って光学ユニットの移動方向がずれて、ディスク媒体と光学ユニットの光軸との相対精度が低下してしまう。しかしながら、上記のように、ガイドレール形成箇所近傍ではシャーシ本体と補助シャーシとを固着させない構成を採用することで、気温などが変化した場合でも、ガイドレールまたはガイドレール装着用直線部が反ってしまうことを防止でき、これにより、ディスク媒体と光学ユニットの光軸との相対精度が低下してしまうことを防止できる。
【００１７】
以下、本発明の実施の形態を図面に基づき説明する。なお、従来の携帯用ディスク装置と同機能のものには同符号を付し、その説明は省略する。
図１に示すように、この携帯用ディスク装置においては、従来、シャーシ本体として１つの部品を構成していた部分を、軽比重金属材料からなるシャーシ本体２５と、高剛性薄板金属材料からなる補助シャーシ３０とに２分割して構成している。
【００１８】
すなわち、図２〜図９に示すように、ディスク媒体２ａを回転させる回転モータ３と前記ディスク媒体２ａにアクセスする光学ユニットとしての光ピックアップ装置４を移動させる移動機構５とを載置するシャーシ本体２５を軽比重金属材料、例えば厚み０．８ｍｍのアルミニウム材で形成し、ガム型の充電池１６を収納する収納部１９の上面部および片側の側面部をなす補助シャーシ３０を、前記シャーシ本体２５よりも比重が大きいながら高剛性で薄肉の高剛性薄板金属材料、例えば厚み０．３ｍｍのステンレス材で形成している。そして、シャーシ本体２５と補助シャーシ３０とは複数のかしめ部２６でかしめられるとともに、シャーシ本体２５の必要箇所に樹脂を流し込んで成形することで、ガイドレール１３、受け部１２、支柱１５、電池案内壁部１７などを形成して固着され、これによって、シャーシ本体２５と補助シャーシ３０とが確実に一体化されている。なお、図８における２７は、シャーシ本体２５と補助シャーシ３０との結合用樹脂部、図１、図２における２７ａは樹脂注入用孔部、２５ｄは、シャーシ本体１に設けたカートリッジ位置決め用の複数の位置決めピンである。また、図５における３０ｂは、補助シャーシ３０に一体形成され、収納部１９の前面部をなす前面折り曲げ部、２５ｃはシャーシ本体２５に一体形成された後面折り曲げ部である。また、シャーシ本体２５や補助シャーシ３０の材料に基づく厚みは、ディスク媒体２ａと光ピックアップ装置４の光軸との相対精度等を良好に維持できる寸法とされている。
【００１９】
図１、図２に示すように、シャーシ本体２５における角状孔２５ａに臨む箇所にはガイドレール装着用直線部３０ａが一体形成されている。そして、このガイドレール装着用直線部３０ａには、光ピックアップ装置４を移動させる際に案内するガイドレール１３が固着されている。一方、シャーシ本体２５におけるガイドレール１３やガイドレール装着用直線部３０ａに対応する部分は切欠いて重複しないように構成されており、このガイドレール形成箇所近傍ではシャーシ本体２５と補助シャーシ３０とは固着されていない。
【００２０】
なお、従来と同様に、シャーシ本体２５に樹脂成形部品を固着することで、ガイドレール１３、受け部１２、支柱１５、電池案内壁部１７などが形成されているが、ガイドレール１３の箇所は、他の機能の部分（電池案内壁部１７など）とは分離されて設けられている。
【００２１】
この携帯用ディスク装置において、内蔵されている部品としてはガム型の充電池１６が最も厚みが大きい部品である。この充電池１６を収納する収納部１９の上面部をなす補助シャーシ３０を高剛性で薄肉（厚さＢ（図５参照））の高剛性薄板金属材料で形成したので、収納部１９の上面部をアルミニウム材などの軽比重金属材料で構成した場合に比べて、携帯用ディスク装置全体として最も厚くなり易い部分の厚みを少なくすることができる。しかも、他の箇所をなすシャーシ本体２５は軽比重金属材料で形成しているので、携帯用ディスク装置の重量の増加を最小限に抑えることができ、携帯用ディスク装置の軽量化を妨げることもない。
【００２２】
また、上記のように、シャーシ本体２５におけるガイドレール１３やガイドレール装着用直線部３０ａに対応する部分を切欠いて重複しないように構成し、このガイドレール形成箇所近傍ではシャーシ本体２５と補助シャーシ３０とを固着しいない構成とすることで、気温などが変化した場合でも、補助シャーシ３０をなす高剛性薄板金属材料とシャーシ本体２５をなす軽比重金属材料との熱膨張率の違いに起因するガイドレール１３やガイドレール装着用直線部３０ａの反りの発生を防止できる。したがって、ディスク媒体２ａと光ピックアップ装置４の光軸との相対精度が低下してしまうことを防止でき、良好な精度を維持することができる。
【００２３】
なお、上記実施の形態においては、高剛性薄板金属材料としてステンレス材を用いた場合を述べたが、これに限るものではなく、チタン合金やマグネシウム合金などを用いてもよい。また、軽比重金属材料としてアルミニウム材を用いた場合を述べたが、これに限るものではなく、その他の比重が小さな金属材料を用いてもよい。また、上記実施の形態では、補助シャーシ３０に設けたガイドレール装着用直線部３０ａにガイドレール１３を取付けた場合を述べたが、これに限るものではなく、補助シャーシ３０にガイドレール自体を一体形成してもよい。
【００２４】
【発明の効果】
以上のように本発明によれば、ディスク媒体を回転させる回転モータや光学ユニットを移動させる移動機構など載置すると共に下方に内蔵される電池の収納部を形成するシャーシを、軽比重金属材料で形成するシャーシ本体と当該シャーシ本体よりも比重が大きいながら高剛性で薄肉の高剛性薄板金属材料で形成した補助シャーシとを固着して一体化形成し、前記電池収納部の少なくとも一部を前記補助シャーシの薄肉部により形成することで、光ディスクなどのディスク媒体と光ピックアップ装置など光学ユニットの光軸との相対精度等を良好に維持しながら、携帯用ディスク装置において最も厚くなり易い電池収容部の部分の厚みを少なくしてその薄形化をさらに図ることができ、しかも、他の箇所をなすシャーシ本体は軽比重金属材料で形成することで、携帯用ディスク装置の重量の増加を最小限に抑えることができる。
【００２５】
また、ガイドレール形成箇所近傍ではシャーシ本体と補助シャーシとを固着させないことにより、気温などが変化した場合にガイドレールまたはガイドレール装着用直線部に反りを生じたりすることを防止でき、これによっても、ディスク媒体と光学ユニットの光軸との相対精度が低下してしまうことを防止でき、良好な精度を維持することができる。
【図面の簡単な説明】
【図１】本発明の実施の形態にかかる携帯用ディスク装置のシャーシ本体と補助シャーシとの分解斜視図である。
【図２】同携帯用ディスク装置のシャーシ本体と補助シャーシとの組付け斜視図である。
【図３】同携帯用ディスク装置のシャーシ本体と補助シャーシとを樹脂成形部により覆った状態の斜視図である。
【図４】同携帯用ディスク装置の要部斜視図である。
【図５】同携帯用ディスク装置の要部正面図である。
【図６】同携帯用ディスク装置の要部平面図である。
【図７】同携帯用ディスク装置の要部裏面図である。
【図８】図６のＣ−Ｃ線矢視断面図である。
【図９】従来の携帯用ディスク装置の要部正面図である。
【図１０】同従来の携帯用ディスク装置の要部平面図である。
【図１１】同従来の携帯用ディスク装置の要部裏面図である。
【符号の説明】
２          カートリッジ
２ａ        ディスク媒体
３          回転モータ
４          光ピックアップ装置（光学ユニット）
５          移動機構
１３        ガイドレール
１６        充電池
１９        収納部
２５        シャーシ本体
３０        補助シャーシ
３０ａ      ガイドレール装着用直線部
【図１】
0004197086.tif 000002
【図２】
0004197086.tif 000003
【図３】
0004197086.tif 000004
【図４】
0004197086.tif 000005
【図５】
0004197086.tif 000006
【図６】
0004197086.tif 000007
【図７】
0004197086.tif 000008
【図８】
0004197086.tif 000009
【図９】
0004197086.tif 000010
【図１０】
0004197086.tif 000011
【図１１】
0004197086.tif 000012